(57)【要約】【課題】  汎用性の高い乾電池形蓄電池の充電に使用される充電器において、停電時には設置場所を確認できるように発光する表示機能と、懐中電灯として使用できる点灯機能を備えた、ライト機能付き充電器を提供する。【解決手段】  通常はコンセントプラグ３を商用電源のコンセントに差し込まれて設置され、乾電池形蓄電池７を着脱交換して充電できるように蓄電池カバー２を設けた充電器本体１に、表示部４とライト部５と操作スイッチ部６を備え、表示部４は操作スイッチ部６の設定により停電状態と設置場所が確認できるように発光表示し、ライト部５はスイッチ操作部６の操作により携帯可能な懐中電灯として機能するように構成する。【選択図】図１
0003170010.tif 000002
【実用新案登録請求の範囲】
【請求項１】
電源回路と、充電回路を備え、商用電源のコンセントに差し込まれて設置され乾電池形蓄電池を着脱交換して充電できるように構成された充電器において、停電検出回路と、表示点灯制御回路を装備し、停電時には充電されていた前記乾電池形蓄電池を電源として停電状態と設置場所が確認できるように発光する表示部と、コンセントから取り外した状態では充電されていた前記乾電池形蓄電池を電源とし、スイッチ操作により携帯できる懐中電灯として機能するライト部を備えていることを特徴とするライト機能付き充電器。
【請求項２】
前記表示部は、２色発光ダイオード、または異なる色の２個の発光ダイオードより構成され、前記表示点灯制御回路の制御により充電状態と停電状態を異なる色で発光表示することを特徴とする請求項１に記載のライト機能付き充電器。
【請求項３】
停電状態の表示は、充電されていた前記乾電池形蓄電池を電源として前記表示点灯制御回路により前記表示部を制御し、６ｍＷ以下の消費電力にて点滅による発光表示することを特徴とする請求項１又は２に記載のライト機能付き充電器。
【考案の詳細な説明】
【技術分野】
【０００１】本考案は、通常は商用電源のコンセントに差し込まれて設置され、汎用性の高い乾電池形蓄電池の充電に使用される充電器において、停電時には停電状態と設置場所を確認できるように発光する表示機能と、携帯可能な懐中電灯として動作する点灯機能を備えたライト機能付き充電器に関するものである。
【背景技術】
【０００２】  近年、環境への配慮と経済性を考慮し放電終了後は廃棄される乾電池に代わり、充電により繰り返し使用可能な乾電池形の蓄電池が幅広く活用されている。特に汎用性の高い単３形や単４形と同形状の蓄電池は、これを商用電源より充電するための充電器と共に広く普及している。【０００３】  放電された蓄電池は充電器により充電することで再使用が可能になるが、充電には時間を要し充電完了まで待機する煩わしさが生じる。これを解消するために、使用する蓄電池とは別に予備の蓄電池を用意し、使用と同時に他方の充電池を充電し、交互に交換して使用する手法が用いられる。これは、待ち時間の問題が解消されると共に、日常的に利用可能な乾電池形蓄電池が充電された状態で常に確保されることになり、非常時に乾電池形蓄電池を必要とされる場合の備えとしても有効である。【０００４】  この様な利用形態を考慮して使用される汎用性の高い乾電池形蓄電池を充電する充電器において、停電時には停電状態と設置場所を確認できるように発光する表示機能と、携帯可能な懐中電灯として動作する点灯機能を備えさせることで、利便性が向上し非常時にも役立つ充電器となるが、このような機能を備えたライト機能付き充電器はなかった。【０００５】  照明機能を備えた充電器としては特許文献１がある。これは、通常はコンセントから蓄電池を充電する充電器として使用され、停電時には充電していた蓄電池を電源として自動的に照明装置が点灯し、主たる目的は誘導照明として機能するものである。しかしながら、この充電器は照明装置の消灯に関して配慮されておらず、コンセントから外された状態では常に照明装置が点灯して蓄電池の電力を消費するため、携帯可能な懐中電灯としての使用には問題がある。
【先行技術文献】
【０００６】
【特許文献１】実用新案登録第３１２０１８４号公報
【考案の開示】
【考案が解決しようとする課題】
【０００７】  本考案は、通常は商用電源のコンセントに差し込まれて設置され、汎用性の高い乾電池形蓄電池を着脱交換して充電できる充電器において、停電時には停電状態と設置場所を確認できるように発光する表示機能と、コンセントから取り外してスイッチ操作により携帯可能な懐中電灯として動作する点灯機能を備えた、ライト機能付き充電器を提供することを課題とする。
【課題を解決するための手段】
【０００８】  請求項１に記載のライト機能付き充電器は、商用電源のコンセントに差し込まれて設置され、蓄電池を充電するための電源回路と、充電回路を備え、汎用性の高い乾電池形蓄電池を着脱交換して充電可能な充電器において、停電検出回路と、操作スイッチ部と表示点灯回路を備え、前記表示点灯制御回路は、前記充電回路からの充電情報と、前記停電検出回路からの停電情報と、前記操作スイッチ部からの設定情報により、表示部と、ライト部を制御し、前記表示部は、通常充電時には前記乾電池形蓄電池の充電状態と、停電時には充電されていた前記乾電池形蓄電池を電源として停電状態と設置場所が確認できるように発光表示すると共に、前記ライト部はコンセントから取り外した状態においては、充電されていた前記乾電池形蓄電池を電源としてスイッチ操作により携帯可能な懐中電灯として機能するように点灯するように構成する。【０００９】  請求項２では、停電時における暗闇において本ライト機能付き充電器の設置場所の視認性を向上させるために、前記表示点灯制御回路の制御により充電状態と停電状態を異なる色を用いて発光表示できるように、前記表示部は、２色発光ダイオード、または異なる色の２個の発光ダイオードを用いて構成する。【００１０】  請求項３では、停電時に前記乾電池形蓄電池を電源とする停電表示において、停止の操作がされずに停電表示が長時間継続する場合などに配慮し、前記乾電池形蓄電池の消耗を抑えライト点灯のための電力を温存するために、前記表示点灯制御回路は点灯停止期間を設けた点滅により６ｍＷ以下の消費電力にて発光表示するように前記表示部を制御する。
【考案の効果】
【００１１】  本考案のライト機能付き充電器は、汎用性の高い乾電池形蓄電池を充電する充電器として使用されるだけでなく、停電時には発光表示により暗闇の中で設置場所が容易に確認され、コンセントから外した状態で携帯可能な懐中電灯としても利用できる。これより、利便性が向上するだけでなく、非常時の備えとしても有用なものとなる。
【図面の簡単な説明】
【００１２】
【図１】本考案の実施形態になるライト機能付き充電器の一例を示す斜視図である。
【図２】（ａ）〜（ｄ）は、実施形態になるライト機能付き充電器の蓄電池カバーを閉じコンセントプラグを収納した状態を示す外観図の上面図、側面図、後面図、前面図である。
【図３】（ａ）〜（ｄ）は、実施形態になるライト機能付き充電器の蓄電池カバーを開けコンセントプラグを出した状態を示す外観図の上面図、側面図、後面図、前面図である。
【図４】実施形態になるライト機能付き充電器の基本構成の一例を示すブロック図である。
【考案を実施するための最良の形態】
【００１３】  本考案のライト機能付き充電器は、図１に示すように、充電器本体１、蓄電池カバー２、コンセントプラグ３、表示部４、ライト部５、操作スイッチ部６を備え、乾電池形蓄電池７を収容し充電できる構造となっている。懐中電灯として使用する時や携帯する時には、図２に示されるように、蓄電池カバー２を閉め、コンセントプラグ３を充電器本体１に格納し、突起を無くして持ちやすい形状とする。表示部４は、充電器本体１をコンセントに差し込まれて設置された状態において、停電時の暗闇で停電状態と設置場所が確認しやすいように上面に配置され、ライト部５は、コンセントから外されて手に持った状態において、懐中電灯として照らしやすいように前面に配置され、操作スイッチ部６は、操作しやすいように側面に配置される。【００１４】  図３の外観図に示されるように、蓄電池カバー２は、乾電池形蓄電池７を着脱して交換できるように、スライドや外れるなどして開く構造とし、コンセントプラグ３は、回転やスライドするなどして格納できる構造とし、充電時には出された状態にて商用電源のコンセントに差し込まれて使用される。表示部４は、複数の状態を表示できるように、例えば緑色と赤色の２色発光ダイオードで構成され、充電状態は落着いた緑色にて発光表示し、停電状態は暗闇で視認性の高い赤色の点滅にて発光表示する。ライト部５は白色発光ダイオードまたは白熱ランプ球などで構成され、前方を明るく照らす。なお、図１〜図３のライト機能付き充電器の実施例は、汎用性の高い単３形の乾電池形蓄電池７を２本までを充電できる構造としているが、充電可能な乾電池形蓄電池７の形状を他の乾電池形状や単３形と単４形の兼用などとしてもよく、充電可能な乾電池形蓄電池７の数を２本から１本や４本などに変更してもよい。【００１５】  ライト機能付き充電器のブロック図を図４に示す。図に示すように、コンセントプラグ３を商用電源のコンセントに差し込み、これより得られる交流電圧を電源回路１０により直流電圧に変換して出力し、内部回路に供給する。充電制御回路１１は電源回路１０の出力を電源とし、充電器本体１に設定された乾電池形蓄電池７の電圧を監視しながら、未充電の場合は充電し、充電終了後は必要に応じてトリクル充電をする。この充電制御の充電情報は表示点灯制御回路１３に送られて表示部４を制御し、充電中の時は緑色の点滅表示をおこない、充電終了後は緑色の常時点灯表示に切り替えるなどして、充電状態が確認できるように表示する。【００１６】  停電検出回路１２は、電源回路１０の出力電圧を監視し、停電により電圧が低下するのを検出し、停電の有無の停電情報を表示点灯制御回路１３に伝送する。また、操作スイッチ部６は、停電表示動作とライトの点灯動作を設定するために用いられ、停電表示とライト点灯をしない停止モード、停電状態を表示する停電表示モード、ライトを点灯し懐中電灯として機能するライト点灯モードの３つのモードより選択した設定情報を表示点灯制御回路１３に伝送する。表示点灯制御回路１３は、充電制御回路１１からの充電情報と、停電検出回路１２からの停電情報と、操作スイッチ部６からの設定情報により、電源回路１０の出力、または、充電されていた乾電池形蓄電池７���電源として、表示部４と、ライト部５を上述した３つのモードにおいて次に説明するように制御する。【００１７】  停止モードでは、表示部４は停電状態を表示せず、且つ、ライト部５はライトを点灯しない。コンセントに差し込まれて商用電源より給電中である時のみ、表示部４は上述した充電中と充電終了の充電状態を表示する。このモードは、乾電池形蓄電池７を電源として使用せず、本ライト機能付き充電器がコンセントから外されて商用電源からの供給が無い状態などにおいて、乾電池形蓄電池７の消耗を防ぐために使用される。【００１８】  停電表示モードでは、表示部４は、コンセントに差し込まれて商用電源より給電中である時は上記した充電状態を表示し、停電などにより商用電源からの供給が停止すると、充電されていた乾電池形蓄電池７からの電圧を電源として停電状態を表示する。停電状態の表示は、乾電池形蓄電池７の消耗を抑えるために、表示部４に視認性の高い赤色の発光ダイオードを用い、点灯停止期間の比率を長く設定し一瞬だけフラッシュ点灯する点滅による発光表示をするなどして、６ｍＷ以下の消費電力にて停電状態と暗闇の中で設置場所が十分に確認できるようにする。【００１９】  ライト点灯モードでは、表示部４はコンセントに差し込まれて商用電源より給電中である時のみ、上記した充電状態を表示し、ライト部５は商用電源より給電中である時は電源回路１０の出力を電源とし、給電が無い時は充電されていた乾電池形蓄電池７を電源として常時点灯する。これより、コンセントから外して携帯可能な懐中電灯として使用できる。ライト点灯には多くの電力を消費するため、不要な時は停止モードに切り替えてライトを消す。ここで、消費電力は光量に比例するため、ライト点灯モードを光量の小さい弱ライトモードと光量の大きい強ライトモードなどに区分けし、必要に応じて光量を切り替えてライトの点灯時間を長くするようにしてもよい。【００２０】  実際の使用に即して、本考案のライト機能付充電器の使用例を説明する。予め、操作スイッチ部６を停止モードにしておき、蓄電池カバー２を開けて乾電池形蓄電池７を交換、又は設定して蓄電池カバー２を閉める。次に、コンセントプラグ３を引出して商用電源のコンセントに差し込み設置し、操作スイッチ部６を停電表示モードにする。この状態で乾電池形蓄電池７は充電され、表示部４は緑色発光により充電状態を表示する。災害などにより停電が発生すると、表示部４は赤色によるフラッシュ点滅により停電状態を発光表示し、暗闇のなかでも設置場所が確認できる。これを手掛かりにコンセントから外してコンセントプラグ３を収容して携帯し、操作スイッチ部６をライト点灯モードに切り替えてライトを点灯して安全な場所に避難する際などに使用する。ライトが不要になると操作スイッチ部６を停止モードに切り替えて消灯する。
【符号の説明】
【００２１】１    充電器本体
２    蓄電池カバー
３    コンセントプラグ
４    表示部
５    ライト部
６    操作スイッチ部
７    乾電池形蓄電池
１０  電源回路
１１  充電制御回路
１２  停電検出回路
１３  表示点灯制御回路
【図１】
0003170010.tif 000003
【図２】
0003170010.tif 000004
【図３】
0003170010.tif 000005
【図４】
0003170010.tif 000006